【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
光ディスクからの反射光を受光し、前記反射光に基づいてフォーカスエラー信号を生成し、前記フォーカスエラー信号に基づきフォーカス制御される光ピックアップユニットと、
前記光ピックアップユニットのフォーカス制御を行う際に、前記フォーカスエラー信号の電圧を所定の閾値と比較し、前記フォーカスエラー信号の電圧が所定の閾値を越えた場合に、前記フォーカスエラー信号の電圧を前記所定の閾値と同一の電圧に置き換える制御手段と、を具備することを特徴とする光ディスク装置。
【請求項２】
光ディスクからの反射光を受光し、前記反射光に基づいてトラッキングエラー信号を生成し、前記トラッキングエラー信号に基づきトラッキング制御される光ピックアップユニットと、
前記光ピックアップユニットのトラッキング制御を行う際に、前記トラッキングエラー信号の電圧を所定の閾値と比較し、前記トラッキングエラー信号の電圧が所定の閾値を越えた場合に、前記トラッキングエラー信号の電圧を前記所定の閾値と同一の電圧に置き換える制御手段と、を具備することを特徴とする光ディスク装置。
【請求項３】
前記フォーカスエラー信号の電圧との比較に用いる複数の閾値を記憶する記憶手段を備え、
前記所定の閾値は、前記記憶手段に記憶されている閾値の中から、使用する光ディスクの種類に応じて選択されることを特徴とする請求項１、２のいずれかに記載の光ディスク装置。
【請求項４】
前記トラッキングエラー信号の電圧との比較に用いる複数の閾値を記憶する記憶手段を備え、
前記所定の閾値は、前記記憶手段に記憶されている閾値の中から、使用する光ディスクの種類に応じて選択されることを特徴とする請求項１、２のいずれかに記載の光ディスク装置。
【請求項５】
前記フォーカスエラー信号の電圧との比較に用いる複数の閾値を記憶する記憶手段を備え、
前記所定の閾値は、前記記憶手段に記憶されている閾値の中から、前記光ピックアップユニットの動作状態に応じて選択されることを特徴とする請求項１、２のいずれかに記載の光ディスク装置。
【請求項６】
前記トラッキングエラー信号の電圧との比較に用いる複数の閾値を記憶する記憶手段を備え、
前記所定の閾値は、前記記憶手段に記憶されている閾値の中から、前記ピックアップユニットの動作状態に応じて選択されることを特徴とする請求項１、２のいずれかに記載の光ディスク装置。
【請求項７】
電力伝達機能と信号伝達機能を兼ね備えた接続手段を有し、
前記接続手段を介して接続される電子機器はコンピュータであることを特徴とする請求項１に記載の光ディスク装置。
【請求項８】
光ディスクからの反射光を受光し、前記反射光に基づいてフォーカスエラー信号を生成し、前記フォーカスエラー信号に基づきフォーカス制御される光ピックアップの制御方法であって、
前記光ピックアップユニットのフォーカス制御を行う際に、前記フォーカスエラー信号の電圧を所定の閾値と比較し、前記フォーカスエラー信号の電圧が所定の閾値を越えた場合に、前記フォーカスエラー信号の電圧を前記所定の閾値と同一の電圧に置き換えることを特徴とする光ピックアップユニットの制御方法。
【請求項９】
光ディスクからの反射光を受光し、前記反射光に基づいてトラッキングエラー信号を生成し、前記トラッキングエラー信号に基づきトラッキング制御される光ピックアップの制御方法であって、
前記光ピックアップユニットのトラッキング制御を行う際に、前記トラッキングエラー信号の電圧を所定の閾値と比較し、前記トラッキングエラー信号の電圧が所定の閾値を越えた場合に、前記トラッキングエラー信号の電圧を前記所定の閾値と同一の電圧に置き換えることを特徴とする光ピックアップユニットの制御方法。
【手続補正２】
【補正対象書類名】明細書
【補正対象項目名】００１４
【補正方法】変更
【補正の内容】
【００１４】
本発明は、上記の課題を解決するためになされたものであって、光ディスクからの反射光を受光し、反射光に基づいてフォーカスエラー信号を生成し、フォーカスエラー信号に基づきフォーカス制御される光ピックアップユニットと、光ピックアップユニットのフォーカス制御を行う際に、フォーカスエラー信号の電圧を所定の閾値と比較し、フォーカスエラー信号の電圧が所定の閾値を越えた場合に、フォーカスエラー信号の電圧を所定の閾値と同一の電圧に置き換える制御手段と、を具備することを特徴とする光ディスク装置である。
【手続補正３】
【補正対象書類名】明細書
【補正対象項目名】００１５
【補正方法】変更
【補正の内容】
【００１５】
また、本発明は、光ディスクからの反射光を受光し、反射光に基づいてトラッキングエラー信号を生成し、トラッキングエラー信号に基づきトラッキング制御される光ピックアップユニットと、光ピックアップユニットのトラッキング制御を行う際に、トラッキングエラー信号の電圧を所定の閾値と比較し、トラッキングエラー信号の電圧が所定の閾値を越えた場合に、トラッキングエラー信号の電圧を所定の閾値と同一の電圧に置き換える制御手段と、を具備することを特徴とする光ディスク装置である。
【手続補正４】
【補正対象書類名】明細書
【補正対象項目名】００１６
【補正方法】変更
【補正の内容】
【００１６】
本発明は上記構成により、制御手段が光ピックアップユニットのフォーカス制御を行う際に、フォーカスエラー信号の電圧を所定の閾値と比較し、フォーカスエラー信号の電圧が所定の閾値を越えた場合に、フォーカスエラー信号の電圧を所定の閾値と同一の電圧に置き換えることによって、いかなる場合でもフォーカスエラー信号電圧が予め定めた量を越えないように制御し、そのフォーカスエラー信号電圧を基に生成され、対物レンズをフォーカス駆動するためのフォーカスドライブ信号が電流供給源の許容範囲を超えるような電流の要求をしないので、通常は光ディスク装置の消費電流が電流供給源の許容範囲を瞬間的に超える場合であっても、光ディスク装置の消費電流に制限を加えることが可能となり、電流供給源の許容範囲を超えないようにすることができる。その結果、光ディスク装置の消費電流に制限を加えることが可能になり、電流供給源の許容範囲を超えないようにするので、瞬間的な電流消費により電流供給源の許容電流量に裕度が無い場合であっても、電流供給源の許容範囲を超えることなく動作可能な光ディスク装置を実現できる。
【手続補正５】
【補正対象書類名】明細書
【補正対象項目名】００１７
【補正方法】変更
【補正の内容】
【００１７】
また、本発明は上記構成により、制御手段が光ピックアップユニットのトラッキング制御を行う際に、トラッキングエラー信号の電圧を所定の閾値と比較し、トラッキングエラー信号の電圧が所定の閾値を越えた場合に、トラッキングエラー信号の電圧を所定の閾値と同一の電圧に置き換えることによって、いかなる場合でもトラッキングエラー信号電圧が予め定めた量を越えないように制御し、そのトラッキングエラー信号電圧を基に生成され、対物レンズをフォーカス駆動するためのトラッキングドライブ信号が電流供給源の許容範囲を超えるような電流の要求をしないので、通常は光ディスク装置の消費電流が電流供給源の許容範囲を瞬間的に超える場合であっても、光ディスク装置の消費電流に制限を加えることが可能となり、電流供給源の許容範囲を超えないようにすることができる。その結果、光ディスク装置の消費電流に制限を加えることが可能になり、電流供給源の許容範囲を超えないようにするので、瞬間的な電流消費により電流供給源の許容電流量に裕度が無い場合であっても、電流供給源の許容範囲を超えることなく動作可能な光ディスク装置を実現できる。
【手続補正６】
【補正対象書類名】明細書
【補正対象項目名】００１８
【補正方法】変更
【補正の内容】
【００１８】
請求項１記載の発明は、光ディスクからの反射光を受光し、反射光に基づいてフォーカスエラー信号を生成し、フォーカスエラー信号に基づきフォーカス制御される光ピックアップユニットと、光ピックアップユニットのフォーカス制御を行う際に、フォーカスエラー信号の電圧を所定の閾値と比較し、フォーカスエラー信号の電圧が所定の閾値を越えた場合に、フォーカスエラー信号の電圧を所定の閾値と同一の電圧に置き換える制御手段と、を具備することを特徴とするものである。制御手段が、光ピックアップユニットのフォーカス制御を行う際に、フォーカスエラー信号の電圧を所定の閾値と比較し、フォーカスエラー信号の電圧が所定の閾値を越えた場合に、フォーカスエラー信号の電圧を所定の閾値と同一の電圧に置き換えることによって、いかなる場合でもフォーカスエラー信号電圧が予め定めた量を越えないように制御し、そのフォーカスエラー信号電圧を基に生成され、対物レンズをフォーカス駆動するためのフォーカスドライブ信号が電流供給源の許容範囲を超えるような電流の要求をしないので、通常は光ディスク装置の消費電流が電流供給源の許容範囲を瞬間的に超える場合であっても、光ディスク装置の消費電流に制限を加えることが可能となり、電流供給源の許容範囲を超えないようにすることができる。その結果、光ディスク装置の消費電流に制限を加えることが可能になり、電流供給源の許容範囲を超えないようにするので、瞬間的な電流消費により電流供給源の許容電流量に裕度が無い場合であっても、電流供給源の許容範囲を超えることなく動作可能な光ディスク装置を実現できる。
【手続補正７】
【補正対象書類名】明細書
【補正対象項目名】００１９
【補正方法】変更
【補正の内容】
【００１９】
請求項２記載の発明は、光ディスクからの反射光を受光し、反射光に基づいてトラッキングエラー信号を生成し、トラッキングエラー信号に基づきトラッキング制御される光ピックアップユニットと、光ピックアップユニットのトラッキング制御を行う際に、トラッキングエラー信号の電圧を所定の閾値と比較し、前記トラッキングエラー信号の電圧が所定の閾値を越えた場合に、前記トラッキングエラー信号の電圧を前記所定の閾値と同一の電圧に置き換える制御手段と、を具備することを特徴とするものである。制御手段が、光ピックアップユニットのフォーカス制御を行う際に、フォーカスエラー信号の電圧を所定の閾値と比較し、フォーカスエラー信号の電圧が所定の閾値を越えた場合に、フォーカスエラー信号の電圧を所定の閾値と同一の電圧に置き換えることによって、いかなる場合でもトラッキングエラー信号電圧が予め定めた量を越えないように制御し、そのトラッキングエラー信号電圧を基に生成され、対物レンズをトラッキング駆動するためのトラッキングドライブ信号が電流供給源の許容範囲を超えるような電流の要求をしないので、通常は光ディスク装置の消費電流が電流供給源許容範囲を瞬間的に超える場合であっても、光ディスク装置の消費電流に制限を加えることが可能になり、電流供給源の許容範囲を超えないようにできる。その結果、光ディスク装置の消費電流に制限を加えることが可能になり、電流供給源の許容範囲を超えないようにするので、瞬間的な電流消費により電流供給源の許容電流に裕度が無い場合であっても、電流供給源の許容範囲を超えることなく動作可能な光ディスク装置を実現することができる。
【手続補正８】
【補正対象書類名】明細書
【補正対象項目名】００２０
【補正方法】変更
【補正の内容】
【００２０】
請求項３記載の発明は、フォーカスエラー信号の電圧との比較に用いる複数の閾値を記憶する記憶手段を備え、所定の閾値が、記憶手段に記憶されている閾値の中から、使用する光ディスクの種類に応じて選択されることを特徴とするものである。所定の閾値が、記憶手段に記憶されている閾値の中から、使用する光ディスクの種類に応じて選択されることによって、使用する光ディスクの種類により異なるフォーカスの追従可変範囲に最適に対応するので、効率良く光ディスク装置の消費電流に制限を加えることが可能になり、電流供給源の許容範囲を超えないようにすることができる。
【手続補正９】
【補正対象書類名】明細書
【補正対象項目名】００２１
【補正方法】変更
【補正の内容】
【００２１】
請求項４記載の発明は、トラッキングエラー信号の電圧との比較に用いる複数の閾値を記憶する記憶手段を備え、所定の閾値は、記憶手段に記憶されている閾値の中から、使用する光ディスクの種類に応じて選択されることを特徴とするものである。所定の閾値が、記憶手段に記憶されている閾値の中から、使用する光ディスクの種類に応じて選択されることによって、使用する光ディスクの種類により異なるトラッキングの追従可変範囲に最適に対応するので、効率良く光ディスク装置の消費電流に制限を加えることが可能になり、電流供給源の許容範囲を超えないようにすることができる。
【手続補正１０】
【補正対象書類名】明細書
【補正対象項目名】００２２
【補正方法】変更
【補正の内容】
【００２２】
請求項５記載の発明は、フォーカスエラー信号の電圧との比較に用いる複数の閾値を記憶する記憶手段を備え、所定の閾値が、記憶手段に記憶されている閾値の中から、光ピックアップユニットの動作状態に応じて選択されることを特徴とするものである。所定の閾値が、記憶手段に記憶されている閾値の中から、光ピックアップユニットの動作状態に応じて選択されることによって、ピーク時の消費電流変化が大きい起動時とピーク時の消費電流の変化が小さいアクセス時とに場合分けすることが可能となり、その時々の動作状況に応じて最適に対応するので、効率良く光ディスク装置の消費電流に制限を加えることが可能になり、電流供給源の許容範囲を超えないようにすることができる。
【手続補正１１】
【補正対象書類名】明細書
【補正対象項目名】００２３
【補正方法】変更
【補正の内容】
【００２３】
請求項６記載の発明は、トラッキングエラー信号の電圧との比較に用いる複数の閾値を記憶する記憶手段を備え、所定の閾値が、記憶手段に記憶されている閾値の中から、ピックアップユニットの動作状態に応じて選択されることを特徴とするものである。所定の閾値が、記憶手段に記憶されている閾値の中から、光ピックアップユニットの動作状態に応じて選択されることによって、ピーク時の消費電流変化が大きい起動時とピーク時の消費電流の変化が小さいアクセス時とに場合分けすることが可能となり、その時々の動作状況に応じて最適に対応するので、効率良く光ディスク装置の消費電流に制限を加えることが可能になり、電流供給源の許容範囲を超えないようにすることができる。
【手続補正１２】
【補正対象書類名】明細書
【補正対象項目名】００２４
【補正方法】変更
【補正の内容】
【００２４】
請求項７記載の発明は、電力伝達機能と信号伝達機能を兼ね備えた接続手段を有し、接続手段を介して接続される電子機器はコンピュータであることを特徴とするものである。電力伝達機能と信号伝達機能を兼ね備えた接続手段を有し、接続手段を介して接続される電子機器はコンピュータであることによって、光ディスク装置を使用する際にいくつものケーブルを接続する手間が省け、また光ディスク装置がコンピュータからの規格化された電流の供給を受けるので、使用者の使い勝手が向上すると共に、電流供給源の許容範囲の上限を容易に知ることができる。
請求項８記載の発明は、光ディスクからの反射光を受光し、反射光に基づいてフォーカスエラー信号を生成し、フォーカスエラー信号に基づきフォーカス制御される光ピックアップの制御方法であって、光ピックアップユニットのフォーカス制御を行う際に、フォーカスエラー信号の電圧を所定の閾値と比較し、フォーカスエラー信号の電圧が所定の閾値を越えた場合に、フォーカスエラー信号の電圧を所定の閾値と同一の電圧に置き換えることを特徴とするものである。光ピックアップユニットのフォーカス制御を行う際に、フォーカスエラー信号の電圧を所定の閾値と比較し、フォーカスエラー信号の電圧が所定の閾値を越えた場合に、フォーカスエラー信号の電圧を所定の閾値と同一の電圧に置き換えることによって、いかなる場合でもフォーカスエラー信号電圧が予め定めた量を越えないように制御し、そのフォーカスエラー信号電圧を基に生成され、対物レンズをフォーカス駆動するためのフォーカスドライブ信号が電流供給源の許容範囲を超えるような電流の要求をすることがないので、通常は光ディスク装置の消費電流が電流供給源許容範囲を瞬間的に超える場合であっても、光ディスク装置の消費電流に制限を加えることが可能になり、電流供給源の許容範囲を超えないようにすることができる。その結果、光ディスク装置の消費電流に制限を加えることが可能になり、電流供給源の許容範囲を超えないようにするので、瞬間的な電流消費により電流供給源の許容電流に裕度が無い場合であっても、電流供給源の許容範囲を超えることなく動作可能な光ピックアップユニットの制御方法を実現することができる。
請求項９記載の発明は、光ディスクからの反射光を受光し、反射光に基づいてトラッキングエラー信号を生成し、トラッキングエラー信号に基づきトラッキング制御される光ピックアップの制御方法であって、光ピックアップユニットのトラッキング制御を行う際に、トラッキングエラー信号の電圧を所定の閾値と比較し、トラッキングエラー信号の電圧が所定の閾値を越えた場合に、トラッキングエラー信号の電圧を所定の閾値と同一の電圧に置き換えることを特徴とするものである。光ピックアップユニットのトラッキング制御を行う際に、トラッキングエラー信号の電圧を所定の閾値と比較し、トラッキングエラー信号の電圧が所定の閾値を越えた場合に、トラッキングエラー信号の電圧を所定の閾値と同一の電圧に置き換えることによって、いかなる場合でもトラッキングエラー信号電圧が予め定めた量を越えないように制御し、そのトラッキングエラー信号電圧を基に生成され、対物レンズをトラッキング駆動するためのトラッキングドライブ信号が電流供給源の許容範囲を超えるような電流の要求をすることがないので、通常は光ディスク装置の消費電流が電流供給源許容範囲を瞬間的に超える場合であっても、光ディスク装置の消費電流に制限を加えることが可能になり、電流供給源の許容範囲を超えないようにすることができる。その結果、光ディスク装置の消費電流に制限を加えることが可能になり、電流供給源の許容範囲を超えないようにするので、瞬間的な電流消費により電流供給源の許容電流に裕度が無い場合であっても、電流供給源の許容範囲を超えることなく動作可能な光ピックアップユニットの制御方法を実現することができる。